(57)【要約】      （修正有）【課題】腰椎を固定する作用の他、床面に仰臥する時或いは椅子に座る時のいずれも、腰部をサポートして腰椎を保護できる腰部プロテクターを提供する。【解決手段】アウターカバー１０とクッションユニット２０を包含し、アウターカバーは開放口１１と収容室１２を具え、アウターカバーの両側端に一組の留め具１３が設けられ、留め具の固定により、帯状のアウターカバーが人体腰部に巻き付けられる。クッションユニットは収容室１２に設置され、並びに第１パッド２１、第２パッド２２及び第３パッド２３を具え、第１パッドはアウターカバーの中段部分に設置されて、人体腰部の後側をサポートし、第２パッドと第３パッドはアウターカバーの両側に設置されて、人体腰部の左右両側をサポートする。【選択図】図１
0003188400.tif 000002
【実用新案登録請求の範囲】
【請求項１】
腰部プロテクターにおいて、
アウターカバーであって、開放口と収容室を具え、該アウターカバーの両側端に一組の留め具が設けられ、該組の留め具の固定により、帯状の該アウターカバーが人体腰部に巻き付けられる、上記アウターカバーと、
クッションユニットであって、前述の収容室に設置され、並びに第１パッド、第２パッド及び第３パッドを具え、該第１パッドは該アウターカバーの中段部分に設置されて、人体腰部の後側をサポートし、該第２パッドと第３パッドは該アウターカバーの両側に設置されて、人体腰部の左右両側をサポートする、上記クッションユニットと、
を包含することを特徴とする、腰部プロテクター。
【請求項２】
請求項１に記載の腰部プロテクターにおいて、該アウターカバーはさらに内側層と外側層を具え、該クッションユニットの第１パッドは、該アウターカバーの内側層に当接する内側面と、該アウターカバーの外側層に当接する外側面を具え、該第１パッドの外側面は平面とされ、該第１パッドの内側面は円弧面を呈し、且つ該第１パッドの横向き断面は半円弧形を呈することを特徴とする、腰部プロテクター。
【請求項３】
請求項１に記載の腰部プロテクターにおいて、該アウターカバーはさらに内側層と外側層を具え、該クッションユニットの第２パッドは、該アウターカバーの内側層に当接する内側面と、該アウターカバーの外側層に当接する外側面を具え、該第２パッドの外側面は平面とされ、該第２パッドの内側面は円弧面を呈し、且つ該第２パッドの縦向き断面は半円弧形を呈することを特徴とする、腰部プロテクター。
【請求項４】
請求項１に記載の腰部プロテクターにおいて、該アウターカバーはさらに内側層と外側層を具え、該クッションユニットの第３パッドは、該アウターカバーの内側層に当接する内側面と、該アウターカバーの外側層に当接する外側面を具え、該第３パッドの外側面は平面とされ、該第３パッドの内側面は円弧面を呈し、且つ該第３パッドの縦向き断面は半円弧形を呈することを特徴とする、腰部プロテクター。
【請求項５】
請求項１に記載の腰部プロテクターにおいて、該組の留め具は雄形面ファスナーと雌形面ファスナーで構成されることを特徴とする、腰部プロテクター。
【請求項６】
請求項１に記載の腰部プロテクターにおいて、さらに外被覆層を包含し、該外被覆層は該クッションユニットの第１パッド、第２パッド及び第３パッドの外側を被覆することを特徴とする、腰部プロテクター。
【請求項７】
請求項６に記載の腰部プロテクターにおいて、該外被覆層に２本のミシン線が設けられて、該外被覆層を第１収容室、第２収容室及び第３収容室に区分し、該第１パッド、第２パッド及び第３パッドはそれぞれ該外被覆層の第１収容室、第２収容室及び第３収容室内部にそれぞれ設置されることを特徴とする、腰部プロテクター。
【請求項８】
請求項１に記載の腰部プロテクターにおいて、さらに三つの外被覆層を包含し、これら外被覆層はそれぞれ該クッションユニットの第１パッド、第２パッド及び第３パッドの外側を被覆することを特徴とする、腰部プロテクター。
【請求項９】
請求項１に記載の腰部プロテクターにおいて、該アウターカバーは、内側層、外側層を、及び該内側層と該外側層を緊密に固定する二本のミシン線を具え、これらミシン線は該アウターカバーの内部空間を第１区、第２区及び第３区に区分し、該第１パッド、第２パッド及び第３パッドはそれぞれ該第１区、第２区及び第３区の内部に設置されることを特徴とする、腰部プロテクター。
【請求項１０】
請求項１に記載の腰部プロテクターにおいて、さらにスライドファスナーを包含し、該スライドファスナーは該アウターカバーの開放口に固定されることを特徴とする、腰部プロテクター。
【請求項１１】
請求項１に記載の腰部プロテクターにおいて、該クッションユニットの第１パッド、第２パッド及び第３パッドがいずれもスポンジ材質とされたことを特徴とする、腰部プロテクター。
【考案の詳細な説明】
【技術分野】
【０００１】
本考案は一種の腰椎を固定する保護具に係り、特に一種の、サポート作用を有する腰部プロテクターに関する。
【背景技術】
【０００２】
一般に市販されている各種の腰部プロテクターは、通常、薄型化された帯状体とされ、弾性被覆作用を利用して人体の腰部に巻かれ、腰椎を固定し、これにより腰部保護の作用を達成する。
【０００３】
現在ある腰部プロテクターは、一定の保護効果を有しているものの、単純に腰椎を固定する作用しか有していない。人体腰部の曲線と上半身、下半身は概ねＳ字形を構成し、これにより、人体が床面に仰臥するか或いは側臥する時、腰部は通常宙に浮いた状態となり、長期には、睡眠中に腰部が支持されていないことで、人体の腰椎の厳重な変形をもたらし、これにより身体の健康に影響が及ぼされるのは残念なことである。
【０００４】
すでに、メモリーフォームを用いたマットレスがあり、人体の腰椎をサポートできるが、しかし、メモリーフォームはその価格が高く、誰もが購入して使用できるわけではなく、このため、消費者の健康を守るために、解決の路が必要である。
【考案の概要】
【考案が解決しようとする課題】
【０００５】
本考案は一種の腰部プロテクターを提供することを目的とし、それは腰椎を固定する作用のほか、第１パッドを人体腰部の後側に当接させることで、人体が床面に仰臥する時或いは椅子に座る時のいずれも、腰部をサポートして腰椎を保護できるものとする。
【０００６】
本考案の腰部プロテクターは、さらに第２パッドと第３パッドを人体腰部の左右両側に当接させることで、人体が側臥姿勢の時に、腰部を支持できるようにする。
【課題を解決するための手段】
【０００７】
このため、本考案の提出する腰部プロテクターは、アウターカバーとクッションユニットを包含する。該アウターカバーは、開放口と収容室を具え、該アウターカバーの両側端に一組の留め具が設けられ、該組の留め具の固定により、帯状のアウターカバーが人体腰部に巻き付けられ、該クッションユニットは前述の収容室に設置され、並びに第１パッド、第２パッド及び第３パッドを具え、該第１パッドは該アウターカバーの中段部分に設置されて、人体腰部の後側をサポートし、該第２パッドと第３パッドは該アウターカバーの両側に設置されて、人体腰部の左右両側をサポートする。
【０００８】
上述の腰部プロテクターは、そのうち、該アウターカバーがさらに内側層と外側層を具え、該クッションユニットの第１パッドは、該アウターカバーの内側層に当接する内側面と、該アウターカバーの外側層に当接する外側面を具え、該第１パッドの外側面は平面とされ、該第１パッドの内側面は円弧面を呈し、且つ該第１パッドの横向き断面は半円弧形を呈する。
【０００９】
上述の腰部プロテクターは、そのうち、該アウターカバーがさらに内側層と外側層を具え、該クッションユニットの第２パッドは、該アウターカバーの内側層に当接する内側面と、該アウターカバーの外側層に当接する外側面を具え、該第２パッドの外側面は平面とされ、該第２パッドの内側面は円弧面を呈し、且つ該第２パッドの縦向き断面は半円弧形を呈する。
【００１０】
上述の腰部プロテクターは、そのうち、該アウターカバーがさらに内側層と外側層を具え、該クッションユニットの第３パッドは、該アウターカバーの内側層に当接する内側面と、該アウターカバーの外側層に当接する外側面を具え、該第３パッドの外側面は平面とされ、該第３パッドの内側面は円弧面を呈し、且つ該第３パッドの縦向き断面は半円弧形を呈する。
【００１１】
上述の腰部プロテクターは、そのうち、該組の留め具は雄形面ファスナーと雌形面ファスナーで構成される。
【００１２】
上述の腰部プロテクターは、そのうち、さらに外被覆層を包含し、該外被覆層は該クッションユニットの第１パッド、第２パッド及び第３パッドの外側を被覆する。
【００１３】
上述の腰部プロテクターは、そのうち、該外被覆層に２本のミシン線が設けられて、該外被覆層を第１収容室、第２収容室及び第３収容室に区分し、該第１パッド、第２パッド及び第３パッドはそれぞれ該外被覆層の第１収容室、第２収容室及び第３収容室内部にそれぞれ設置される。
【００１４】
上述の腰部プロテクターは、そのうち、さらに三つの外被覆層を包含し、これら外被覆層はそれぞれ該クッションユニットの第１パッド、第２パッド及び第３パッドの外側を被覆する。
【００１５】
上述の腰部プロテクターは、そのうち、該アウターカバーが、内側層、外側層、及び内側層と外側層を緊密に固定する２本のミシン線を具え、これらミシン線は該アウターカバーの内部空間を第１区、第２区及び第３区に区分し、該第１パッド、第２パッド、及び第３パッドは、それぞれ該第１区、第２区、及び第３区内部に設置される。
【００１６】
上述の腰部プロテクターは、そのうち、さらにスライドファスナーを具え、該スライドファスナーは該アウターカバーの開放口に固定される。
【００１７】
上述の腰部プロテクターは、そのうち、該クッションユニットの第１パッド、第２パッド及び第３パッドがいずれもスポンジ材質とされる。
【考案の効果】
【００１８】
以上により、現在ある腰部プロテクターがただ単一の、腰椎固定の作用しか有していないのに較べ、本考案の腰部プロテクターは、基本の腰椎保護の作用のほか、さらに第１パッドにより人体腰部後側をサポートし、人体が床面に仰臥するか椅子に座る時、いずれも腰部を保持してサポート作用を獲得され、特に長時間椅子に座るオフィスワーカーには、腰椎を矯正して脊椎変形を防止する。該腰部プロテクターはさらに第２パッドと第３パッドが人体の腰部の左右両側に当接し、人体が側臥する時に、腰部にサポート作用を獲得させ、腰部が宙に浮いて脊椎変形を招くのを防止し、また、メモリーフォームを使用する必要がなく、本考案の腰部プロテクターを使用すると、床面に仰臥或いは側臥している時或いは椅子に座っている時のいずれの場合も腰部をサポート、保持し、変形を防止する。
【図面の簡単な説明】
【００１９】
【図１】本考案の腰部プロテクターの第１実施例の立体分解図である。
【図２】本考案の第１実施例の組み合わせ立体図である。
【図３】本考案のクッションユニットの組み合わせ断面図である。
【図４】本考案の腰部プロテクターの第２実施例の立体分解図である。
【図５】本考案の第２実施例の組み合わせ立体図である。
【図６】本考案の第２実施例の組み合わせ断面図である。
【図７】図４中の７−７線断面図であり、第１パッドを説明する横向き断面図である。
【図８】図４中の８−８線断面図であり、第２パッドを説明する縦向き断面図である。
【図９】図４中の９−９線断面図であり、第３パッドを説明する縦向き断面図である。
【図１０】本考案の組み合わせ図であり、腰部プロテクターが人体腰部に巻き付けられた状態を示す。
【図１１】本考案の使用表示図であり、該腰部プロテクターが人体腰部に巻き付けられ、且つ人体が平面上に仰臥した状態を示す。
【図１２】本考案の使用表示図であり、該腰部プロテクターが人体腰部に巻き付けられ、且つ人体が椅子に座った状態を示す。
【図１３】本考案の使用表示図であり、該腰部プロテクターが人体腰部に巻き付けられ、且つ人体が平面上に側臥した状態を示す。
【考案を実施するための形態】
【００２０】
本考案の腰部プロテクターは、基本の腰椎保護の作用のほか、さらに第１パッド２１により人体腰部３０後側をサポートし、人体が床面に仰臥するか椅子に座る時、いずれも腰部３０を保持してサポート作用を獲得させられ、特に長時間椅子に座るオフィスワーカーには、腰椎を矯正して脊椎変形を防止する。このほか、該腰部プロテクターはさらに第２パッド２２と第３パッド２３が人体の腰部３０の左右両側に当接し、人体が側臥する時に、腰部３０にサポート作用を獲得させ、腰部３０が宙に浮いて脊椎変形を招くのを防止し、また、メモリーフォームを使用する必要がなく、本考案の腰部プロテクターを使用すると、床面に仰臥或いは側臥している時或いは椅子に座っている時のいずれの場合も腰部をサポート、保持し、変形を防止する。
【００２１】
図１、２に示されるように、本考案の腰部プロテクターの第１実施例は、アウターカバー１０とクッションユニット２０を包含する。
【００２２】
該アウターカバー１０は、開放口１１と収容室１２を具え、且つ該アウターカバー１０の両側に、一組の留め具１３が設けられ、該組の留め具１３の固定により、帯状のアウターカバー１０が人体の腰部３０に巻き付けられる。本実施例中、該組の留め具１３は、雄形面ファスナー１３１と雌形面ファスナー１３２で構成される。且つ該アウターカバー１０はさらに、スライドファスナー１４、内側層１５及び外側層１６を包含し、該スライドファスナー１４は該開放口１１に固定され、且つ該内側層１５、外側層１６の周辺と結合される。
【００２３】
該クッションユニット２０は、前述の収容室１２に設置され、並びに第１パッド２１、第２パッド２２及び第３パッド２３を具える。該第１パッド２１は該アウターカバー１０の中段部分に設置されて、人体の腰部３０後側に対応し（図１０〜図１２に示されるとおり）、該第２パッド２２と該第３パッド２３はそれぞれ該アウターカバー１０の両側に設置され、人体腰部３０の左右両側に対応する（図１０、図１３に示されるとおり）。
【００２４】
図３を参照されたい。さらに、該クッションユニット２０は外被覆層２４を包含し、該外被覆層２４に、２本のミシン線２５が設けられて、該外被覆層２４が第１収容室２４１、第２収容室２４２及び第３収容室２４３に区分され、該第１パッド２１、第２パッド２２及び第３パッド２３は、それぞれ該外被覆層２４の第１収容室２４１、第２収容室２４２及び第３収容室２４３内部に設置される。実務上、該外被覆層２４が該第１パッド２１、第２パッド２２及び第３パッド２３の外側を被覆した時に、さらにミシン縫い方式で該外被覆層２４上に２本のミシン線２５を設けて、第１パッド２１、第２パッド２２、及び第３パッド２３を、それぞれしっかりと該外被覆層２４の第１収容室２４１、第２収容室２４２及び第３収容室２４３内部に固定する。
【００２５】
図４、５に示されるように、本考案の腰部プロテクターの第２実施例は、以下の部分が第１実施例と異なっている。すなわち、該アウターカバー１０の内側層１５と外側層１６上に２本のミシン線１７が設けられ、これらミシン線１７は、該アウターカバー１０の内部空間を第１区１２１、第２区１２２及び第３区１２３に区分する。このとき、該第１パッド２１、第２パッド２２及び第３パッド２３は単独の個体として設置され、単独個体の第１パッド２１、第２パッド２２及び第３パッド２３がそれぞれ該第１区１２１、第２区１２２及び第３区１２３内部に設置され、さらにスライドファスナー１４で該開放口が閉じられて、該第１パッド２１、第２パッド２２、及び第３パッド２３が該アウターカバー１０内部に設置される。且つ図４、５中に示されるように、単独個体の該第１パッド２１、第２パッド２２及び第３パッド２３外側が、それぞれ外被覆層２６により被覆される。
【００２６】
図６、７を参照されたい。本考案中、該クッションユニット２０の第１パッド２１は、該アウターカバー１０の内側層１５に当接する内側面２１１、及び該アウターカバー１０の外側層１６に当接する外側面２１２を具え、該第１パッド２１の外側面２１２は平面とされ、該第１パッド２１の内側面２１１は円弧面とされ、且つ該第１パッド２１の横向き断面は概ね半円弧形を呈する。
【００２７】
図８を参照されたい。該クッションユニット２０の第２パッド２２は、該アウターカバー１０の内側層１５に当接する内側面２２１と、該アウターカバー１０の外側層１６に当接する外側面２２２を具え、該第２パッド２２の外側面２２２は平面とされ、該第２パッド２２の内側面２２１は円弧面とされ、且つ該第２パッド２２の縦向き断面は概ね半円弧形を呈する。
【００２８】
図８を参照されたい。該クッションユニット２０の第３パッド２３は、該アウターカバー１０の内側層１５に当接する内側面２３１と、該アウターカバー１０の外側層１６に当接する外側面２３２を具え、該第３パッド２３の外側面２３２は平面とされ、該第３パッド２３の内側面２３１は円弧面とされ、且つ該第３パッド２３の縦向き断面は概ね半円弧形を呈する。
【００２９】
前述の第１パッド２１、第２パッド２２及び第３パッド２３はいずれもスポンジ材料で形成され、このスポンジは発泡スポンジ或いはメモリースポンジとされる。
【００３０】
図１０に示されるように、該腰部プロテクターは人体腰部３０に巻き付けられ、並びに該雄形面ファスナー１３１と雌形面ファスナー１３２で相互に固定され、すなわち、該クッションユニット２０の第１パッド２１が人体腰部３０の後側に当接し、並びに第２パッド２２と第３パッド２３がそれぞれ腰部３０両側に当接する。
【００３１】
人体の腰部３０後側が平面４０である床面に当接する（図１１のとおり）か、或いは椅子の背もたれに当接する（図１２のとおり）時、該第１パッド２１の外側面２１２は平面とされるため、該腰部プロテクターと該接触面（平面）は完全に当接する。次に、人体腰部３０後側に当接する該第１パッド２１の円弧形の内側面２１１が、腰部３０をサポートし、脊椎を矯正する使用効果を有し、且つ椅子に座る時は、腰部をサポート、保持する作用を有し、長時間座ることにより腰椎が変形するのを防止する。
【００３２】
図１３に示されるように、人体が側臥する時は、両側に位置する第２パッド２２と第３パッド２３の平坦な外側面２２２、２３２が平面４０である床面に当接し、円弧面である内側面２２１、２３１が人体腰部３０の左右両側に快適に当接し、腰椎を保護する。
【００３３】
以上をまとめると、現在ある腰部プロテクターがただ単一の、腰椎固定の作用しか有していないのに較べ、本考案の腰部プロテクターは、人体の腰部３０に巻き付けられて、腰椎を固定する作用のほか、さらに該第１パッド２１の平坦な外側面２１２が、図１２の背もたれ或いは図１１の床面と平らに当接し、第１パッド２１の円弧形の内側面２１１が人体工学に符合する曲線を以て腰部３０後側に当接し、椅子に座る時、或いは床面に横たわる時のいずれも、腰部３０に安定したサポート作用を獲得させ、これにより脊椎を矯正する作用を達成する。このほか、人体が図１３に示されるように側臥姿勢にあるとき、該第２パッド２２と該第３パッド２３の平坦な外側面２２２、２３２もまた床面と平らに当接し、第２パッド２２と第３パッド２３の円弧形の内側面２２１、２３１が人体工学に符合する曲線を以て腰部３０の左右両側に当接し、側臥姿勢でも、腰部３０にサポートを獲得させる。こうして、高価なメモリーフォームのマットレスを使用しないで、該腰部プロテクターの使用により、脊椎矯正、脊椎保護の使用効果を獲得でき、ゆえに本考案の腰部プロテクターはより経済的な実益がある。
【００３４】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３５】
１０  アウターカバー
１１  開放口
１２  収容室
１２１  第１区
１２２  第２区
１２３  第３区
１３  留め具
１３１  雄形面ファスナー
１３２  雌形面ファスナー
１４  スライドファスナー
１５  内側層
１６  外側層
１７  ミシン線
２０  クッションユニット
２１  第１パッド
２１１  内側面
２１２  外側面
２２  第２パッド
２２１  内側面
２２２  外側面
２３  第３パッド
２３１  内側面
２３２  外側面
２４  外被覆層
２４１  第１収容室
２４２  第２収容室
２４３  第３収容室
２５  ミシン線
２６  外被覆層
３０  腰部
４０  平面
【図１】
0003188400.tif 000003
【図２】
0003188400.tif 000004
【図３】
0003188400.tif 000005
【図４】
0003188400.tif 000006
【図５】
0003188400.tif 000007
【図６】
0003188400.tif 000008
【図７】
0003188400.tif 000009
【図８】
0003188400.tif 000010
【図９】
0003188400.tif 000011
【図１０】
0003188400.tif 000012
【図１１】
0003188400.tif 000013
【図１２】
0003188400.tif 000014
【図１３】
0003188400.tif 000015